(57)【要約】【課題】日除けとして使用することができるとともに、喫煙場所を供することができるパラソル装置を提供する。【解決手段】シャフト２７の上端に複数本の親骨２８を回動可能に支持する。シャフト２７上にその軸方向に移動可能に支持されたランナー２９と親骨２８との間を受骨３０により連結する。親骨２８上に天シート３１を張設する。天シート３１の中心部に開放部３８を形成する。天シート３１から上方に間隔をおいた位置で開放部３８を覆うように、シャフト２７に補助傘を３９設ける。【選択図】図１
2011045482.tif 000002
【特許請求の範囲】
【請求項１】
シャフトの上端に開閉可能な天シートを張設したパラソル装置において、
前記天シートをその半開位置において保持する保持手段を設け、
前記天シートの中心部に開放部を形成するとともに、その開放部を前記天シートから上方に間隔をおいた位置において覆うように、前記シャフトの上端に補助傘を設けたことを特徴とするパラソル装置。
【請求項２】
前記天シートを空気が充填される空気マットにより構成し、空気充満時の天シートの緊張力により、天シートが全開されることを特徴とする請求項１に記載のパラソル装置。
【請求項３】
前記開放部内に、天シート内から排出される空気を利用したエジェクタを設け、そのエジェクタの作用により天シートの内側から開放部を通って上方に抜ける上昇気流が形成されることを特徴とする請求項１または２に記載のパラソル装置。
【発明の詳細な説明】
【技術分野】
【０００１】
この発明は、屋外に設置して日除けとして使用することができるパラソル装置に関するものであって、特には喫煙許可場所における使用に適したパラソル装置に関するものである。
【背景技術】
【０００２】
従来、簡易的な喫煙所としては、例えば特許文献１〜特許文献３に開示されるような構成が提案されている。これらの従来構成においては、外部と喫煙空間とを区画するための仕切り幕が設けられるとともに、その喫煙空間の上部に換気装置が設けられている。そして、着座者が喫煙空間内で喫煙する際に、換気装置によって喫煙空間内の空気が同空間の外部に排出されるようになっている。
【先行技術文献】
【特許文献】
【０００３】
【特許文献１】実用新案登録第３０９２８８２号公報
【特許文献２】特開平１０−２０５８４１号公報
【特許文献３】特開２００８−１５７００８号公報
【発明の概要】
【発明が解決しようとする課題】
【０００４】
ところが、これらの従来構成の簡易的な喫煙所においては、喫煙のためのみに使用されることを想定されたものであって、屋外において日除け目的のために用いることには適さない上に、雨天下で用いることはほとんど不可能である。しかも、前記従来構成は高いデザイン性を付与することが困難で、イベント会場や商業施設の外部歩道のような景観デザインを要求されるところには採用しにくい。
【０００５】
この発明は、このような従来の技術に存在する問題点に着目してなされたものである。その目的は、高いデザイン性を備えることができて、日除けとして使用することができるとともに、着座者に対して喫煙場所を供することができるパラソル装置を提供することにある。
【課題を解決するための手段】
【０００６】
上記の目的を達成するために、この発明は、シャフトの上端に開閉可能な天シートを張設したパラソル装置において、前記天シートをその半開位置において保持する保持手段を設け、前記天シートの中心部に開放部を形成するとともに、その開放部を前記天シートから上方に間隔をおいた位置において覆うように、前記シャフトの上端に補助傘を設けたことを特徴とする。
【０００７】
従って、この発明のパラソル装置においては、通常時には天シートを開けば日除けとして使用することができるとともに、高いデザイン性を付与することができる。また、このパラソル装置内で喫煙を行う場合には、天シートの内側の空気が中心部の開放部から上方に排出される。しかも、天シートの上方には開放部を覆う補助傘が設けられているため、雨天時等に雨水が開放部から天シートの内側に落ちるおそれを防止することができる。
【０００８】
前記天シートを空気が充填される空気マットにより構成し、空気充満時の天シートの緊張力により、天シートが全開されるようにするとよい。よって、このパラソル装置を電気配線の不便な屋外に設置する場合でも、手動の空気ポンプ等により天シートの空気マット内に空気を充填して使用することができる。
【０００９】
前記の構成において、前記開放部内に、天シート内から排出される空気を利用したエジェクタを設け、そのエジェクタの作用により天シートの内側から開放部を通って上方に抜ける上昇気流が形成されるようにするとよい。このように構成した場合には、喫煙時に天シートの空気マット内から空気が排出され、その排出空気を利用したジェクタの作用により、天シートの内側から開放部を通って上方に抜ける上昇気流が形成される。よって、喫煙にともなって発生する煙を天シートの内側から効果的に排出することができる。
【発明の効果】
【００１０】
以上のように、この発明によれば、高いデザイン性を与えることができ、日除けとして使用することができるとともに、着座者に対して喫煙場所を供することができるという効果を発揮する。
【図面の簡単な説明】
【００１１】
【図１】（ａ）は第１実施形態のパラソル装置を示す断面図、（ｂ）はランナー部分の拡大図。
【図２】図１の２−２線における拡大断面図。
【図３】図１のパラソル装置の平面図。
【図４】図１のパラソル装置の一部を拡大して示す部分断面図。
【図５】同パラソル装置における空気の供給構成を示す配管図。
【図６】同パラソル装置の天シートを半開にした状態を示す拡大断面図。
【図７】（ａ）は第２実施形態のパラソル装置を示す断面図、（ｂ）はランナーを昇降させるための構成を示す断面図。
【図８】図７のパラソル装置の平面図。
【図９】同パラソル装置の回路構成を示すブロック図。
【発明を実施するための形態】
【００１２】
（第１実施形態）
以下に、この発明を具体化したパラソル装置の第１実施形態を、図１〜図６に従って説明する。
【００１３】
図１（ａ）及び図２に示すように、この実施形態のパラソル装置２１においては、円板状の支持台２２が装備され、その支持台２２の下面には複数のロック機構付きのキャスタ２３が取り付けられている。支持台２２の上面中央部には腰掛け２４が固定され、その腰掛け２４の上面中央部には灰皿２５が設けられている。腰掛け２４は中空状に形成され、その内部が蓄圧可能な空気室２６になっている。
【００１４】
図１及び図４に示すように、前記腰掛け２４の中心部にはパイプ材よりなるシャフト２７が貫通状態で支持され、そのシャフト２７の上端には複数本のパイプ材よりなる支持脚２７ａが固定されている。シャフト２７の支持脚２７ａの上端部には支持リング２７ｂが固定され、その支持リング２７ｂには、複数の親骨２８が基端部において回動可能に支持されている。前記シャフト２７の中間部には、ランナー２９が軸方向に移動可能に、つまり昇降可能に支持され、その外周にはフランジ部２９ａが形成されている。前記フランジ部２９ａと各親骨２８の中間部との間は、複数の受骨３０により連結されている。
【００１５】
図１（ａ）、図３及び図４に示すように、前記親骨２８上には、天シート３１が張設されている。この天シート３１は、空気マット３２により構成され、この空気マット３２は空気を充填するための複数の互いに連通された空気バッグ３２ａを有している。空気マット３２は、前記支持脚２７ａの先端開口に空気の通過可能に接続されている。図１（ｂ）に示すように、前記フランジ部２９ａと受骨３０との間には、親骨２８、受骨３０及び天シート３１の重量の大部分をキャンセルする付勢手段としてのバネ３３が設けられている。そして、図１に実線で示すように、空気マット３２の各空気バッグ３２ａに空気が充満されたとき、天シート３１の緊張力とバネ３３の付勢力との協働作用により、天シート３１が全開位置に移動されるようになっている。
【００１６】
図１（ａ）に示すように、前記支持台２２の上面外周縁には、複数の空気供給手段としての空気ポンプ３４が等角度間隔をおいて配置されている。各空気ポンプ３４の上部には、足踏みペダル３４ａが設けられている。支持台２２内において各空気ポンプ３４と腰掛け２４の空気室２６との間には、空気通路３５が介在されている。そして、着座者Ｍ等が腰掛け２４に着座した状態で、空気ポンプ３４のペダル３４ａが踏み込まれることにより、空気が空気ポンプ３４から空気通路３５を介して腰掛け２４の空気室２６内に送り込まれて蓄圧される。
【００１７】
図４及び図５に示すように、前記シャフト２７の上端において支持脚２７ａの基端部には、切換バルブ３６が設けられている。図１（ａ）に示すように、シャフト２７の下端部寄りの外周には、切換バルブ３６を切り換えるための手動操作部３７が設けられている。そして、この操作部３７により切換バルブ３６が一方の位置に切り換えられたときには、シャフト２７の下端部側から支持脚２７ａを介して天シート３１における空気マット３２の各空気バッグ３２ａに至る空気供給流路が形成される。このため、前記腰掛け２４の空気室２６内の空気がこの空気供給流路を介して、空気マット３２の各空気バッグ３２ａに供給され、天シート３１が自身の緊張力と前記バネ３３のバネ力により開かれる。
【００１８】
これに対して、操作部３７により切換バルブ３６が他方の位置に切り換えられたときには、空気マット３２の各空気バッグ３２ａから支持脚２７ａを介してシャフト２７の上端部側の後述のエジェクタ４０に至る空気排出流路が形成される。このため、空気マット３２の各空気バッグ３２ａ内の空気が空気排出流路を介してエジェクタ４０から徐々に排出されて、天シート３１の緊張力が少しずつ失われて、その天シート３１が自重や親骨２８等の重量により長い時間（例えば１５分程度）をかけてゆっくりと閉じられる。
【００１９】
図４及び図６に示すように、前記天シート３１の中心部には、天シート３１の内側を上方に向かって開放するための開放部３８が形成されている。シャフト２７の上端には、前記開放部３８を天シート３１から上方に間隔をおいた位置で覆うための補助傘３９が取り付けられている。開放部３８内に配置されるように、シャフト２７の上端部には天シート３１内から排出される空気を利用するエジェクタ４０が形成されている。そして、前記切換バルブ３６の切り換えにより空気排出流路が形成されたとき、天シート３１内から排出される空気がエジェクタ４０から開放部３８を通って斜め上方に噴出される。この噴出によるエジェクタ効果によって、図６に矢印で示すように、天シート３１の内側から開放部３８を通って上方に抜ける上昇気流が形成される。
【００２０】
前記シャフト２７の上端部において切換バルブ３６とエジェクタ４０との間には、報知音を発生するための音声発生器４１が設けられている。そして、前記切換バルブ３６の切り換えにより空気排出流路が形成されて、空気マット３２の各空気バッグ３２ａからの空気の排出にともない天シート３１が閉じられるとき、空気排出流路を流れる空気流により音声発生器４１から天シート３１が閉鎖動作中であることを示す報知音が発生される。
【００２１】
図１（ａ）（ｂ）及び図６に示すように、前記シャフト２７の上部，中央部及び下部には、それぞれランナー２９を天シート３１の全開位置，半開位置及び全閉位置において保持するための手動操作可能な上はじき４２ａ，中はじき４２ｂ，下はじき４２ｃが設けられている。そして、天シート３１が図１（ａ）に実線で示す全開状態になったとき上はじき４２ａによってその状態に保持される。また、同図に鎖線で示すとともに図６に示す半開状態になったとき、ランナー２９が中はじき４２ｂにより保持される。さらに、図示しないが、天シート３１が全閉状態になったとき、ランナー２９が下はじき４２ｃにより保持される。
【００２２】
次に、前記のように構成されたパラソル装置の作用を説明する。
さて、このパラソル装置２１をイベント会場の歩道等に設置する場合には、天シート３１が全閉状態のパラソル装置２１をキャスタ２３により移動させて、所要位置においてキャスタ２３をロックする。この状態で、下はじき４２ｃを押し込んで、ランナー２９を上昇させ、中はじき４２ｂに保持させる。このようにすれば、パラソル装置２１が図１（ａ）に実線で示す半開位置に保持される。この状態では、腰掛け２４の着座者Ｍの胸部から上が歩行者等から隠蔽される。従って、着座者が、歩行者の目に曝されたり、外部の騒音に煩わされたりすることはあまりない。このため、着座者Ｍは、周囲に迷惑を与えることなく、逆に周囲から影響を与えられることなく、携帯電話を使用したり、パソコンを操作したりすることが可能となる。
【００２３】
また、着座者により支持台２２上の空気ポンプ３４のペダル３４ａが繰り返し踏み込まれると、空気が空気ポンプ３４から空気通路３５を介して腰掛け２４の空気室２６内に送り込まれて蓄圧される。その後、シャフト２７上に設けられた操作部３７の操作により、切換バルブ３６が一方の位置に切り換えられると、天シート３１の空気マット３２に対する空気供給流路が形成される。このため、腰掛け２４の空気室２６内の空気が空気供給流路を介して、空気マット３２の各空気バッグ３２ａに供給されて、図１（ａ）に実線で示すように天シート３１が全開位置まで開かれ、その状態が上はじき４２ａにより保持される。従って、この状態で、パラソル装置２１を通常の日除けとして使用することができる。
【００２４】
さらに、パラソル装置２１を喫煙場所として使用する場合には、操作部３７の操作により切換バルブ３６が他方の位置に切り換えられる。このようにすると、天シート３１の空気マット３２からエジェクタ４０への空気排出流路が形成される。従って、上はじき４２ａを押し込めば、空気マット３２の各空気バッグ３２ａ内の空気が空気排出流路を介してエジェクタ４０から排出されて、天シート３１がゆっくりと閉じられる。このとき、空気がエジェクタ４０から天シート３１の開放部３８に向かって斜め上方に噴出されることにより、図６に矢印で示すように、天シート３１の内側から開放部３８を通って上方に抜ける上昇気流が形成される。よって、天シート３１の内側で喫煙すれば、その喫煙にともなって発生する煙が上昇気流により上方に導かれて、天シート３１の開放部３８からその上方に排出され、周囲への迷惑を抑えることができる。
【００２５】
そして、図１（ａ）に鎖線で示すとともに図６に示すように、天シート３１が半開位置まで閉じられると、ランナー２９が保持機構４２の中はじき４２ｂに係合されて、天シート３１が半開位置に保持される。このように、喫煙中には、上昇気流が生じるなかで、天シート３１が全開位置から半開位置へゆっくりと閉じられるため、喫煙時間を充分に確保できる。
【００２６】
また、前記のように天シート３１が半開位置に保持された状態においては、着座者Ｍの胸部から上が天シート３１によって隠蔽されるため、仮に開放部３８を通る上昇気流が生じていなくても、喫煙ともなう煙が天シート３１の下端から周囲に漂うことはほとんどなく、開放部３８から上方へ排出される。従って、この状態においても、周囲への迷惑を抑えながら煙草を喫することができる。
【００２７】
加えて、天シート３１が全開位置及び半開位置のいずれの位置に配置された状態においても、天シート３１の開放部３８が補助傘３９により覆われている。よって、パラソル装置２１の使用中に突然の降雨があっても、雨水が開放部３８から天シート３１の内側に落ちるおそれはない。従って、天シート３１が全開位置や半開位置に配置された状態においては、パラソル装置２１を雨宿りとして使用することができる。
【００２８】
さらに、パラソル装置２１を移動したり、保管したりする場合は、天シート３１を全閉状態にして、下はじき４２ｃによりその状態に保持すればよい。このようにすれば、天シート３１や親骨２８が邪魔になることなく、パラソル装置２１の移動や保管が可能となる。
【００２９】
以上のように、この実施形態においては、以下の効果を得ることができる。
（１）  この実施形態のパラソル装置２１は、外観形状が通常の日除けパラソルとそれほど変わらない。従って、この実施形態のパラソル装置２１は、従来の簡易的な喫煙所とは異なり、日除けに用いたり、雨天下で用いたりすることに適する。しかも、天シート３１や腰掛け２４に多彩なデザインを付与することが可能であるため、イベント会場や商業施設等で用いることに都合がよい。
【００３０】
（２）  パラソル装置２１内で喫煙を行う場合には、天シート３１が全開位置から半開位置にゆっくりと閉じられながら、天シート３１の内側の空気が中心部の開放部３８から上方に排出される。よって、喫煙にともなう煙を周囲に流すことなく、上部空間に排出でき、このパラソル装置２１をイベント会場等の人が集まる場所に問題なく設置することが可能になる。
【００３１】
（３）  この実施形態のパラソル装置２１においては、天シート３１の上方に開放部３８を覆う補助傘３９が設けられている。このため、雨水が開放部３８から天シート３１の下部に落ちるおそれを防止することができる。
【００３２】
（４）  この実施形態のパラソル装置２１においては、天シート３１が手動の空気ポンプ３４から空気を充填可能な空気マット３２により構成され、空気充満時の天シート３１の緊張力により、天シート３１が全開位置に保持されるように構成されている。このため、パラソル装置２１を電源に接続することなく開閉できる。従って、電気配線の不便な屋外であってもパラソル装置２１を支障なく設置できる。
【００３３】
（５）  この実施形態のパラソル装置２１においては、天シート３１の開放部３８中に、天シート３１内から排出される空気を利用したエジェクタ４０が設けられている。このため、喫煙時に、天シート３１の内側から開放部３８を通って上方に抜ける上昇気流が形成される。よって、喫煙にともなって発生する煙を天シート３１の内側から上方空間に効果的に排出することができる。
【００３４】
（第２実施形態）
次に、この発明を具体化したパラソル装置の第２実施形態を、前記第１実施形態と異なる部分を中心に説明する。
【００３５】
さて、この第２実施形態においては、図７〜図９に示すように、腰掛け２４の内部に、前記第１実施形態の空気室２６に代えて収容室４５が形成されている。そして、この収容室４５内には、後述する太陽電池フィルム５０で発電された電力を蓄えるためのバッテリ４６、天シート３１の開閉動作等を制御するための制御装置４８、天シート３１が閉じられる際に音楽等の音声を電気的に発生する音声発生装置４９が収容されている。
【００３６】
図７（ａ）及び図８に示すように、前記天シート３１は前記第１実施形態の空気マット３２に代えて１枚のシート材により構成されている。天シート３１の上面には、複数枚の太陽電池フィルム５０が貼着されている。そして、パラソル装置２１の使用時に、太陽電池フィルム５０によって発電された電力が、前記バッテリ４６に蓄えられる。このバッテリ４６に蓄えられた電力により、パラソル装置２１の各種の電気機器が駆動される。図７（ａ）（ｂ）に示すように、シャフト２７内には電気駆動手段としての昇降用モータ４７が内装され、その出力軸と一体回転されるネジ軸４７ａが前記ランナー２９の中心に形成された雌ネジ２６ｃに螺入されている。従って、昇降用モータ４７の正逆回転によりランナー２９が昇降される。なお、シャフト２７には案内溝２７ｃが形成され、その案内溝２７ｃにランナー２９の一部が案内されて、ランナー２９のシャフト２７を中心とした回動が阻止される。
【００３７】
図７及び図９に示すように、前記天シート３１の開放部３８内において、シャフト２７の上端部にはファンモータ５１ａを備えたファン５１が支持されている。シャフト２７の下端寄りの位置には、前記第１実施形態の操作部３７に代えて操作スイッチ５２が設けられている。そして、この操作スイッチ５２の切り換え操作により、制御装置４８を介して昇降用モータ４７が正逆いずれかに回転され、天シート３１が開閉動作される。
【００３８】
すなわち、操作スイッチ５２が天シート３１の開放側に切り換え操作されたときには、制御装置４８により昇降用モータ４７が一方向に回転されて、ランナー２９が上昇移動され、天シート３１が図７（ａ）に実線で示す全開位置まで開かれる。よって、この状態で、パラソル装置２１を通常の日除けとして使用することができる。
【００３９】
これに対して、操作スイッチ５２が天シート３１の閉鎖側に切り換え操作されたときには、制御装置４８により昇降用モータ４７が他方向に低速で回転されて、ランナー２９が低速で下降移動され、天シート３１が図７（ａ）に実線で示す全開位置から鎖線で示す半開位置に時間をかけてゆっくりと閉じられる。このとき、ファンモータ５１ａによりファン５１が回転されて、天シート３１の内側の空気が開放部３８を介して上方に排出される。それとともに、音声発生装置４９が作動されて、天シート３１が閉鎖動作中であることを示す音楽等の音声が発生される。よって、この天シート３１の全開位置から半開位置への移動時に、喫煙場所として使用することができる。なお、ファンモータ５１ａを常時回転させれば、パラソル装置２１を好適な喫煙場所として常時使用できる。
【００４０】
以上のように、この第２実施形態においても、前記第１実施形態の場合と同様に、通常時にはパラソル装置２１を日除けとして使用することができるとともに、喫煙時には、着座者Ｍに対して非着座者と隔離することなく喫煙場所を提供することができる。
【００４１】
特に、この第２実施形態においては、以下の効果がある。
（６）  この第２実施形態においては、天シート３１の上面に太陽電池フィルム５０が貼着されているため、パラソル装置２１を電気配線の不便な屋外に設置する場合でも、太陽電池フィルム５０で発電された電力を用いて、天シート３１の開閉動作やファン５１の排気動作を行わせることができる。
【００４２】
（７）  この第２実施形態においては、天シート３１の開放部３８内に、天シート３１の内側の空気を開放部３８から上方に排出するためのファン５１が設けられている。このため、喫煙時にファン５１の回転により、天シート３１の内側の空気を効果的に排出することができる。
【００４３】
（８）  この第２実施形態においては、天シート３１を開閉動作させるための電気駆動手段としてのモータ４７が設けられている。このため、モータ４７の回転によってランナー２９を昇降させることにより、天シート３１を簡単に開閉動作させることができる。
【００４４】
（変更例）
なお、この実施形態は、次のように変更して具体化することも可能である。
・  図６に２点鎖線で示すように、天シート３１の開放部３８に吸煙フィルタ５３を設けること。このように構成すれば、外部に流出される煙を少なくすることができる。特に、第２実施形態においては、吸煙フィルタ５３として、煙の粒子に電荷を与えて、その帯電粒子を電極に吸着されるように構成したものを使用することにより、高い効率で煙を除去できる。
【００４５】
・  前記両実施形態において、腰掛け２４の外側にテーブルを設けること。逆に、シャフト２７の周囲に、腰掛け２４の代わりにテーブルを設け、そのテーブルの周囲に椅子を設置できるようにすること。
【００４６】
・  前記第１実施形態において、空気ポンプ３４のペダル３４ａとして自転車式の回転ペダルを設けること。
・  前記第１実施形態において、腰掛け２４の空気室２６内の空気をシャフト２７の途中から天シート３１の内側に流出させて、清涼効果等が得られるように構成すること。
【００４７】
・  第１実施形態において、天シート３１を張設するための親骨２８や受骨３０を設けず、天シート３１は自身の剛性により図１（ａ）に２点鎖線で示す半開状態に保持されるようにすること。そして、天シート３１内に空気が充満されることにより、自身の緊張力により、天シート３１が全開状態に位置するようにすること。
【００４８】
（別の技術的思想）
さらに、上記実施形態により把握される請求項以外の技術的思想について、以下にそれらの効果とともに記載する。
【００４９】
（Ａ）  前記天シートの空気マット内に空気を手動供給するための供給手段２６，３４を設けたことを特徴とする請求項２または３に記載のパラソル装置。この構成によれば、空気ポンプ等の供給手段を別途用意する必要がなく、天シートの空気マット内に空気を手動供給することができる。
【００５０】
（Ｂ）  前記シャフトには、前記ランナーに作用して、天シートの重量の大部分をキャンセルする付勢手段３３を設けたことを特徴とする請求項２、３、前記技術的思想（Ａ）項のうちのいずれか一項に記載のパラソル装置。この構成によれば、空気充満時における天シートの張力と付勢手段の付勢力との協働作用により、天シートが全開位置に保持される。よって、天シートの空気マットの空気容量を大きくする必要がなく、構造を簡略化することができる。
【００５１】
（Ｃ）  前記天シートの上面に太陽電池フィルムを貼着したことを特徴とする請求項１に記載のパラソル装置。この構成によれば、パラソル装置を電気配線の不便な屋外に設置する場合でも、太陽電池フィルムで発電された電力を用いて、天シートの開閉動作等を行わせることができる。
【００５２】
（Ｄ）  前記開放部内に、天シートの内側の空気を開放部を介して上方に排出するためのファンを設けたことを特徴とする請求項１または前記技術的思想（Ｃ）に記載のパラソル装置。この構成によれば、喫煙時にファンの回転により、天シートの内側の空気をより効果的に排出することができる。
【００５３】
（Ｅ）  前記天シートを開閉動作させるための電気駆動手段を設けたことを特徴とする請求項１、前記技術的思想（Ｃ）、（Ｄ）項のうちのいずれか一項に記載のパラソル装置。この構成によれば、天シートを電気駆動手段によって簡単に開閉動作させることができる。
【符号の説明】
【００５４】
２１…パラソル装置、２２…支持台、２４…腰掛け、２６…空気室、２７…シャフト、２８…親骨、２９…ランナー、３０…受骨、３１…天シート、３２…空気マット、３３…付勢手段としてのバネ、３４…空気供給手段としての空気ポンプ、３６…切換バルブ、３８…開放部、３９…補助傘、４０…エジェクタ、４２…保持手段としての保持機構、４６…バッテリ、４７…電気駆動手段としての昇降用モータ、５０…太陽電池フィルム、５１…ファン、Ｍ…着座者。
【図１】
2011045482.tif 000003
【図２】
2011045482.tif 000004
【図３】
2011045482.tif 000005
【図４】
2011045482.tif 000006
【図５】
2011045482.tif 000007
【図６】
2011045482.tif 000008
【図７】
2011045482.tif 000009
【図８】
2011045482.tif 000010
【図９】
2011045482.tif 000011